(57)【要約】【課題】本発明は、輸送中又は保管中に発色することが防止され、かつ小ロットで製造可能な自己発色型の感圧複写帳票の製造方法を提供する。【解決手段】基材シート１８の上面に、発色剤層１３が形成された連続感圧複写用紙１７を使用して、下用紙１２として必要な書式を発色剤層１３上に印刷し、この発色剤１３上に、複写が必要とされる部分に対応して顕色剤層１４を形成し、基材シート１８の裏面に、上用紙１１として必要な書式を印刷し、基材シート１８を上用紙１１及び下用紙１２の境界部分で折り重ね、その状態で折り曲げ部分を切り落とすように裁断して感圧複写帳票１０を製造する。これにより、感圧複写帳票１０を輸送中に圧力が加わっても、感圧複写帳票１０が発色することを抑制できるので、自己感圧式の感圧複写帳票１０の歩留まりを向上させることができる。【選択図】  図１
2005059250.tif 000002
【特許請求の範囲】
【請求項１】
基材シートの一方の面に、発色剤及び顕色剤のうちのいずれか一方を含む第１の薬剤層が全面に形成された感圧複写用紙を使用して、上用紙及び下用紙からなる感圧複写帳票を製造する方法であって、
前記下用紙として必要な書式を前記感圧複写用紙の第１の薬剤層の上に印刷する工程と、前記発色剤及び前記顕色剤のうちの他方を含む第２の薬剤層を、複写が必要とされる部分に対応して前記第１の薬剤層上に形成する工程とを実行して前記下用紙を製造すると共に、
この下用紙のうち前記第１の薬剤層が形成された面に、必要な書式が印刷された上用紙を重ねることを特徴とする感圧複写帳票の製造方法。
【請求項２】
基材シートの一方の面に、発色剤及び顕色剤のうちのいずれか一方を含む第１の薬剤層が全面に形成された連続感圧複写用紙を使用して、上用紙及び下用紙からなる感圧複写帳票を製造する方法であって、
前記下用紙として必要な書式を前記連続感圧複写用紙の第１の薬剤層の上に印刷する工程と、前記発色剤及び前記顕色剤のうちの他方を含む第２の薬剤層を前記下用紙に複写が必要とされる部分に対応して前記第１の薬剤層上に形成する工程とを実行して前記連続感圧複写用紙に前記下用紙のための領域を形成し、
前記連続感圧複写用紙のうち前記下用紙のための領域とは異なる領域であって前記第１の薬剤層とは反対側の面に、前記上用紙として必要な書式を印刷して前記上用紙のための領域を形成し、
その後、前記連続感圧複写用紙を前記上用紙及び下用紙のための各領域の境界部分で、前記上用紙の印刷面とは反対側が前記下用紙の前記第１の薬剤層の形成面に重なるように折り曲げ、その状態で少なくとも前記折り曲げ部分を切り落とすように裁断することを特徴とする感圧複写帳票の製造方法。
【発明の詳細な説明】
【０００１】
【発明の属する技術分野】
本発明は、感圧複写帳票の製造方法に関する。
【０００２】
【従来の技術】
従来、感圧複写帳票としては、裏面に発色剤層が形成された上用紙と、表面に顕色剤層が形成された下用紙とを重ねたものが知られている。この感圧複写帳票の上用紙の表面から、例えばボールペンなどにより記録を行うと、上用紙と下用紙との間において発色剤層と顕色剤層とが加圧接触することにより発色剤と顕色剤とが発色反応する。この発色反応により、上用紙の表面に記録されたのと同じものが下用紙の上にも記録されるから、２枚の用紙に同時に記録を行うことができる。
【０００３】
しかしながら上記の構成では、上用紙及び下用紙ともに専用紙を使用しなければならないという問題点がある。
【０００４】
上記の問題点を解決するため自己発色感圧型の感圧複写帳票が提案されている（特許文献１参照）。これは、例えば表面に発色剤層が形成され、その上に顕色剤層が形成された感圧複写用紙の上に、上用紙を重ねたものである。
【０００５】
この感圧複写帳票の上用紙の表面から、例えばボールペンなどにより記録を行うと、感圧複写用紙の表面で発色剤層と顕色剤層とが加圧接触することにより発色剤と顕色剤とが発色反応する。この発色反応により、上用紙の表面に記録されたものと同じものが感圧複写用紙の上にも記録されるから、２枚の用紙に同時に記録を行うことができる。
【０００６】
この自己発色感圧型の感圧複写帳票によれば、上用紙としては汎用紙を用いることができ、下用紙のみに専用の感圧複写用紙を使用すればよい。
【０００７】
【特許文献１】
特開平２００１−３４７７５５公報
【０００８】
【発明が解決しようとする課題】
しかしながら、上述の自己発色感圧型の感圧複写用紙は、輸送中又は保管中に発色してしまうことがあるという問題点がある。
【０００９】
また、自己発色型の感圧複写用紙は通常、製紙メーカにおいて大ロットで製造される。これは、製紙メーカは最終的な製品形態を知りうる立場になく、感圧複写用紙のどの部分に複写が必要かが分からないので、感圧複写用紙として完成した形態で帳票メーカに納入する必要があったためである。この結果、帳票メーカは感圧複写用紙を少量だけ必要とする場合でも、大ロットで製造されたものを購入しなければならないため、コストが高くなることがあるという問題点がある。
【００１０】
本発明は上記のような事情に基づいて完成されたものであって、輸送中又は保管中に発色することが防止され、かつ小ロットで製造可能な自己発色感圧型の感圧複写帳票の製造方法を提供することを目的とする。
【００１１】
【課題を解決するための手段および作用・効果】
上記の目的を達成するための手段として、請求項１の発明は、基材シートの一方の面に、発色剤及び顕色剤のうちのいずれか一方を含む第１の薬剤層が全面に形成された感圧複写用紙を使用して、上用紙及び下用紙からなる感圧複写帳票を製造する方法であって、前記下用紙として必要な書式を前記感圧複写用紙の第１の薬剤層の上に印刷する工程と、前記発色剤及び前記顕色剤のうちの他方を含む第２の薬剤層を、複写が必要とされる部分に対応して前記第１の薬剤層上に形成する工程とを実行して前記下用紙を製造すると共に、この下用紙のうち前記第１の薬剤層が形成された面に、必要な書式が印刷された上用紙を重ねることを特徴とする。
【００１２】
請求項１の発明によれば、帳票メーカは、製紙メーカから、基材シートの一方の面に、発色剤及び顕色剤のうちのいずれか一方を含む第１の薬剤層が全面に形成された感圧複写用紙を購入し、これに所定の書式及び第２の薬剤層を印刷することにより下用紙を製造することができる。これにより、製紙メーカから帳票メーカに感圧複写用紙が納入される過程において、感圧複写用紙をロール状にして輸送又は保管する際に外力が加わっても、感圧複写用紙には第１の薬剤層しか塗布されていないので、感圧複写用紙が発色することがなく、感圧複写帳票の歩留まりが向上する。
【００１３】
さらに、例えば帳票メーカから小売店に完成した感圧複写帳票が納入される過程において、感圧複写帳票を輸送又は保管する際に外力が加わっても、感圧複写帳票には複写が必要とされる部分にしか第２の薬剤層が形成されていないので、複写が必要とされない部分が発色することがない。このように、完成品の納入過程においても感圧複写帳票の歩留まりが向上する。
【００１４】
また、従来、感圧複写用紙は発色剤及び顕色剤が全面に塗工された状態で製紙メーカから納入されていた。このため、感圧複写用紙はどの部分を加圧しても発色してしまうことから、帳票メーカのデザインの自由度は小さく、罫線や枠線などを印刷して記入欄を形成し、感圧複写帳票へと加工していた。これに対して本発明によれば、帳票メーカは、感圧複写帳票のデザインを自由に設計して、例えば感圧複写用紙のどの部分を複写可能とし、どの部分を複写不可能とするかを自由に選択することができる。このように、本発明によれば、帳票メーカは自由に感圧複写帳票の設計ができるため、多様なデザインの製品を生産するということが可能となる。
【００１５】
そして、従来、帳票メーカは製紙メーカから感圧複写用紙を大ロットで購入し、これを感圧複写帳票へと加工していたが、上述のように、従来は帳票メーカのデザインの自由度は小さく、製品の種類にも限界があった。このため、感圧複写帳票の需要が小さい場合でも製紙メーカからは大ロットで感圧複写用紙を購入して、これを感圧複写帳票へと大量に加工せざるを得ず、製造コストが高くなるという問題があった。これに対して本発明では、製紙メーカから感圧複写用紙を大ロットで購入しても、帳票メーカは多様なデザインの感圧複写帳票が製造可能となるので、市場の需要に応じて多様なデザインの感圧複写用紙を小ロットで製造可能となる結果、製造コストの削減を図ることができる。
【００１６】
請求項２の発明は、基材シートの一方の面に、発色剤及び顕色剤のうちのいずれか一方を含む第１の薬剤層が全面に形成された連続感圧複写用紙を使用して、上用紙及び下用紙からなる感圧複写帳票を製造する方法であって、前記下用紙として必要な書式を前記連続感圧複写用紙の第１の薬剤層の上に印刷する工程と、前記発色剤及び前記顕色剤のうちの他方を含む第２の薬剤層を前記下用紙に複写が必要とされる部分に対応して前記第１の薬剤層上に形成する工程とを実行して前記連続感圧複写用紙に前記下用紙のための領域を形成し、前記連続感圧複写用紙のうち前記下用紙のための領域とは異なる領域であって前記第１の薬剤層とは反対側の面に、前記上用紙として必要な書式を印刷して前記上用紙のための領域を形成し、その後、前記連続感圧複写用紙を前記上用紙及び下用紙のための各領域の境界部分で、前記上用紙の印刷面とは反対側が前記下用紙の前記第１の薬剤層の形成面に重なるように折り曲げ、その状態で少なくとも前記折り曲げ部分を切り落とすように裁断することを特徴とする。
【００１７】
従来、一般に自己発色型の感圧複写帳票は、下用紙である自己発色型の感圧複写用紙の上に上用紙を重ねて製造されており、２種類の紙が必要とされていた。
【００１８】
請求項２の発明によれば、帳票メーカは、以下のようにして、単一の連続感圧複写用紙の上面と裏面とを利用することにより感圧複写帳票を作製できるので、製造工程を簡略化できる。すなわち、帳票メーカは製紙メーカから基材シートの上面に、発色剤及び顕色剤のうちのいずれか一方を含む第１の薬剤層が全面に形成された連続感圧複写用紙を購入し、この第１の薬剤層の上に下用紙として必要な書式を印刷し、さらに第１の薬剤層の上に複写を必要とする部分に対応して第２の薬剤層を印刷する。そして、基材シートの裏面には第１の薬剤層は形成されておらず、基材シートが露出しているので、この裏面に上用紙として必要な書式を印刷する。その後、連続感圧複写用紙を、下用紙の書式を印刷した領域の上面に、上用紙の上面が重なるように折り畳む。すると、発色剤層及び顕色剤層が形成された下用紙の上に上用紙が重ねられたものが、何組も重ねられた状態になるので、不要部分を切り落とすことにより感圧複写帳票を作製できる。
【００１９】
【発明の実施の形態】
以下、本発明の一実施形態を図１ないし図５によって説明する。
図４は、実施形態に係る感圧複写帳票１０の製造方法により製造された感圧複写帳票１０を示すものである。感圧複写帳票１０は、下用紙１２と、この下用紙１２の上に重ね合わされる上用紙１１とからなる。
【００２０】
下用紙１２の上面には、全面にわたって、発色剤が内包されたマイクロカプセルを含む発色剤層１３（第１の薬剤層に相当）が形成されている。この発色剤層１３の上に、伝票名、宛名欄、金額欄、枠線、罫線など、複写帳票として使用されるために必要な書式が、文字、数字、記号などにより印刷されているとともに、宛名欄、金額欄など複写が必要とされる領域に対応して顕色剤を含む顕色剤層１４（第２の薬剤層に相当）が形成されている。この下用紙１２の裏面には基材シート１８が露出している。
【００２１】
上用紙１１の上面には、伝票名、宛名欄、金額欄、枠線、罫線など、複写帳票として使用されるために必要な書式が、文字、数字、記号などにより印刷されている。この上用紙１１の裏面には、発明としては必要ないが、その全面に、発色剤が内包されたマイクロカプセルを含む発色剤層１３が形成されている。
【００２２】
下用紙１２の上面と上用紙１１の裏面とが対向するように、下用紙１２の上に上用紙１１が重ね合わされて１組となって、感圧複写帳票１０が構成されている。
【００２３】
次に、上記感圧複写帳票１０の製造方法を図１ないし図５によって説明する。まず帳票メーカは、基材シート１８の一面に、全面にわたって発色剤層１３が形成された連続感圧複写用紙１７を製紙メーカから購入する。この連続感圧複写用紙１７はロール１９に巻回された状態で製紙メーカから供給される。この連続感圧複写用紙１７には発色剤が塗布された発色剤層１３のみが形成されているため、圧力を加えられたり、表面を擦られたりしても発色することがない。
【００２４】
帳票メーカは、ロール１９から連続感圧複写用紙１７を繰り出して、加工ユニット２２にて、パンチ孔１５、折り畳みミシン目（図示せず）及び連続ミシン目１６を形成する。パンチ孔１５は、連続感圧複写用紙１７の両端寄りの位置に、一列に並んで形成されている。図示しない折り畳みミシン目は、下用紙１２となるべき領域と上用紙１１となるべき領域とを区分するように形成されている。連続ミシン目１６は、連続感圧複写用紙１７の左端寄りに形成されたパンチ孔１５よりも内側に形成されている。
【００２５】
次に、発色剤層１３の上に、下用紙１２として使用するために必要な書式を、インパクトプリンタ用連続用紙のプリンタ２０により印刷する。この書式は、伝票名、宛名欄、金額欄、枠線、罫線などからなり、文字、数字、記号などから構成される。このとき、下用紙１２となるべき領域には、２枚分の伝票の書式が上下に連なって印刷されている（図５参照）。
【００２６】
下用紙１２としての書式が印刷された後、複写が必要とされる部分に対し、発色剤層１３の上から、顕色剤印刷ユニット２１により顕色剤を印刷して、顕色剤層１４を形成する。このようにして、下用紙１２となるべき領域を作製する。
【００２７】
下用紙１２となるべき領域を作製した後、下用紙１２とは異なる領域で、発色剤層１３が形成されていない面に、上用紙１１として必要な書式をインパクトプリンタ用連続用紙のプリンタ２０により印刷して、上用紙１１となるべき領域を作製する。この書式は、下用紙１２の書式と対応するように構成されており、上用紙１１となるべき領域には、下用紙１２の場合と同様に、２枚分の伝票の書式が上下に連なって印刷されている。
【００２８】
この結果、連続感圧複写用紙１７のうち、下用紙１２となるべき領域には、基材シート１８の上面に発色剤層１３が一面に形成され、この発色剤層１３の上に、インク２３によって下用紙１２に必要な書式が印刷されると共に、複写が必要な領域に顕色剤層１４が形成されており、裏面には、基材シート１８が露出している。一方、連続感圧複写用紙１７のうち、上用紙１１となるべき領域には、基材シート１８の上面に、発明としては必要ないが、発色剤層１３が一面に形成され、裏面にはインク２３によって上用紙１１に必要な書式が印刷されている（図１参照）。このように、単一の連続感圧複写用紙１７には、発色剤層１３が形成された基材シート１８の上面を利用した下用紙１２となるべき領域と、発色剤層１３が形成されていない基材シート１８の裏面を利用した上用紙１１となるべき領域とが形成されている。
【００２９】
さて、上記のようにして作製した連続感圧複写用紙１７を折り畳みミシン目（図示せず）で折り曲げて、下用紙１２となるべき領域の上面に、上用紙１１となるべき領域の上面が重なるようにする。すると、単一の連続感圧複写用紙１７のうち、発色剤層１３及び顕色剤層１４が形成された下用紙１２となるべき領域と、上用紙１１となるべき領域とが折り重なって一組となったものを作製できる（図２、３、５参照）。
【００３０】
さらに、連続感圧複写用紙１７を折り畳みミシン目（図示せず）で折り曲げて、上用紙１１となるべき領域の裏面に、下用紙１２の裏面が重なるようにする。すると、下用紙１２の上面が上方を向く状態となる。
【００３１】
以後、上記の工程を繰り返すことにより、下用紙１２となるべき領域の上に、上用紙１１となるべき領域が重なって一組となったものが複数組折り重なったものを作製できる。
【００３２】
折り重なった状態の連続感圧複写用紙１７を、その状態のままで、折り曲げ部分を切り落とす。すると、上用紙１１と下用紙１２とが切り離された状態になる。さらにその状態のまま、２枚分の伝票が上下に連なって印刷された状態になっている上用紙１１及び下用紙１２を、伝票が１枚ずつ切り離された状態になるように裁断する。すると、上用紙１１と下用紙１２とが重なって一組となったものが何組も重なったものが形成される（図４参照）。
【００３３】
このようにして得られた一組の上用紙１１及び下用紙１２について、その左端を綴じ合わせることにより、自己発色感圧型の感圧複写帳票１０を製造する。
【００３４】
本実施形態によれば、製紙メーカから帳票メーカに納入される連続感圧複写用紙１７には発色剤層１３のみが形成されているため、圧力を加えられたり、表面を擦られたりしても発色することがない。これにより、製紙メーカから帳票メーカへの納品過程における連続感圧複写用紙１７の歩留まりが向上する。また、完成した感圧複写帳票１０には複写が必要とされる部分にしか顕色剤層１４が形成されていないので、帳票メーカから小売店に完成した感圧複写帳票１０が納入される過程において感圧複写帳票１０に外力が加わっても、複写が必要とされない部分が発色することがない。このため、完成した感圧複写帳票１０の納品過程においても歩留まりが向上する。
【００３５】
また、本実施形態によれば、帳票メーカは、感圧複写帳票１０のデザインを自由に設計して、例えば連続感圧複写用紙１７のどの部分を複写可能とし、どの部分を複写不可能とするかを自由に選択し、所望の領域に顕色剤層１４を形成し、複写可能な領域を作製することができる。この結果、帳票メーカは自分の手元で自由に感圧複写帳票１０の設計ができるため、多様なデザインの製品を生産するということが可能となる。
【００３６】
そして、本実施形態では、製紙メーカから連続感圧複写用紙１７を大ロットで購入しても、帳票メーカは多様なデザインの感圧複写帳票１０が製造可能となるので、市場の需要に応じて多様なデザインの感圧複写用紙１０を小ロットで製造可能となる結果、製造コストの削減を図ることができる。
【００３７】
さらに、本実施形態によれば、単一の連続感圧複写用紙１７のうち、発色剤層１３が形成された上面を利用した下用紙１２となるべき領域と、発色剤層１３が形成されていない裏面を利用した上用紙１１となるべき領域とが重なって一組となったものが複数組折り重なったものを作製でき、これを裁断することにより感圧複写帳票１０を作製できるので、製造工程を簡略化できる。
【００３８】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００３９】
（１）本実施形態においては、感圧複写帳票１０は上用紙１１及び下用紙１２からなる２層構造のものとしたが、これに限られず、３層又はそれ以上の構造を有するものとしてもよい。その場合は、下用紙１２の下に、更に下用紙１２を所望の枚数だけ重ねることにより製造することができる。
【００４０】
（２）本実施形態においては、第１の薬剤層を発色剤層１３とし、第２の薬剤層を顕色剤層１４としたが、これに限られず、第１の薬剤層を顕色剤層１４とし、第２の薬剤層を発色剤層１３としてもよい。
【００４１】
（３）本実施形態においては、下用紙１２となるべき領域に枠線などを印刷し、複写を必要とする領域に顕色剤層１４を形成し、その後に上用紙１１となるべき領域に枠線などを印刷したが、これに限られず、これらの工程の順序は任意に変更できる。例えば、上用紙１１となるべき領域に枠線などを印刷した後、下用紙１２となるべき領域に枠線などを印刷し、複写を必要とする領域に顕色剤層１４を形成するものとしてもよい。また、複写を必要とする領域に顕色剤層１４を形成した後に、下用紙１２となるべき領域に印刷し、上用紙１１となるべき領域に枠線などを印刷しても良い。また、複写を必要とする領域に顕色剤層１４を形成した後に、上用紙１１となるべき領域に印刷し、下用紙１２となるべき領域に枠線などを印刷しても良い。
【００４２】
（４）本実施形態においては、感圧複写帳票１０の下用紙１２となるべき領域及び上用紙１１となるべき領域に、２枚分の伝票の書式を上下に連ねて印刷するものとし、これらを重ねて裁断することにより、感圧複写帳票１０を作製するものとしたが、これに限られず、下用紙１２となるべき領域及び上用紙１１となるべき領域に、１枚分の伝票の書式を印刷し、これを重ねて不要部分を裁断して感圧複写帳票１０を作製してもよいし、また３枚分以上の伝票の書式を印刷し、これを重ねて裁断して感圧複写帳票１０を作製するものとしてもよい。
【００４３】
（５）本実施形態においては、連続感圧複写用紙１７を使用して感圧複写帳票１０を作製したが、これに限られず、単票用紙を基材シートとして使用し、感圧複写帳票１０を作製してもよい。
【図面の簡単な説明】
【図１】本発明の実施形態に係る感圧複写帳票の製造工程を示す断面図
【図２】本発明の実施形態に係る感圧複写帳票の製造工程を示す斜視図
【図３】本発明の実施形態に係る感圧複写帳票の製造工程を示す正面図
【図４】本発明の実施形態に係る感圧複写帳票の斜視図
【図５】本発明の実施形態に係る感圧複写帳票の製造工程を示す概念図
【符号の説明】
１０…感圧複写帳票
１１…上用紙
１２…下用紙
１３…発色剤層
１４…顕色剤層
１７…連続感圧複写用紙
１８…基材シート
【図１】
2005059250.tif 000003
【図２】
2005059250.tif 000004
【図３】
2005059250.tif 000005
【図４】
2005059250.tif 000006
【図５】
2005059250.tif 000007